(57)【要約】【課題】網体の下端部を案内する網戸下框が枠体に適切に設けられるとともに、障子及び網戸を引違いサッシの枠体内に開閉可能に設けられた建具を提供する。【解決手段】建具１００は、障子は、左右方向に延びる上框及び下框と、上下方向に延びる一対の縦框と、上框、下框及び一対の縦框内に設けられたパネル体と、を有し、網戸３は、縦枠に固定された網戸固定縦框と、枠体内を左右方向に移動可能とされた網戸可動縦框と、網戸固定縦框と網戸可動縦框との間に設けられ、収容及び繰り出し可能とされた網体３９と、網戸固定縦框または網戸可動縦框から出没可能に設けられ、網体３９の下端部を案内可能な網戸下框３４と、を有し、下枠１２には、上方に向かって突出し、下框及び網戸下框３４を支持する突出部２１３が設けられ、網戸下框３４には、突出部２１３の屋内側の面及び屋外側の面に当接可能な規制部３１２が設けられていることを特徴とする。【選択図】図５
2019119987.tif 000002
【特許請求の範囲】
【請求項１】
建築物の開口部に設けられる枠体と、
該枠体内に左右方向にスライド可能に設けられた障子と、
前記枠体内に開閉可能に設けられた網戸と、を備え、
前記枠体は、左右方向に延びる上枠及び下枠と、上下方向に延びる一対の縦枠と、を有し、
前記障子は、左右方向に延びる上框及び下框と、上下方向に延びる一対の縦框と、前記上框、前記下框及び前記一対の縦框内に設けられたパネル体と、を有し、
前記網戸は、前記縦枠に固定された網戸固定縦框と、前記枠体内を左右方向に移動可能とされた網戸可動縦框と、前記網戸固定縦框と前記網戸可動縦框との間に設けられ、収容及び繰り出し可能とされた網体と、前記網戸固定縦框または前記網戸可動縦框から出没可能に設けられ、前記網体の下端部を案内可能な網戸下框と、を有し、
前記下枠には、上方に向かって突出し、前記下框及び前記網戸下框を支持する突出部が設けられ、
前記網戸下框には、前記突出部の屋内側の面及び屋外側の面に対向する面を有する規制部が設けられていることを特徴とする建具。
【請求項２】
前記規制部は、
屋内外方向に間隔を有して配置された一対の規制壁部を有し、
該一対の規制壁部の間に、前記突出部が配置されている請求項１に記載の建具。
【請求項３】
前記下枠は、
前記網戸下框における屋外側を向く面に対向する下部屋外側壁部と、
前記網戸下框における屋内側を向く面に対向する下部屋内側壁部と、を有する請求項１または２に記載の建具。
【請求項４】
前記上枠は、前記上框の屋内側に配置される上部屋内側壁部を有し、
該上部屋内側壁部には、屋外側に向かって突出し、前記上框における屋内側を向く面と当接可能な気密部が設けられている請求項１から３のいずれか一項に記載の建具。
【請求項５】
前記網戸は、前記網体の上端部を案内可能な網戸上框を有し、
前記上部屋内側壁部には、屋外側に向かって突出する突出部材が設けられ、
該突出部材には、前記網戸上框を支持する支持部、及び前記気密部が設けられている請求項４に記載の建具。
【請求項６】
前記障子よりも屋内側に配置された内障子、を有し、
前記障子及び前記網戸は、前記下枠の前記突出部上を走行し、
前記内障子は、前記下枠の突出部よりも屋内側に設けられた屋内側レール部上を走行する請求項１から５のいずれか一項に記載の建具。
【発明の詳細な説明】
【技術分野】
【０００１】
本発明は、建具に関するものである。
【背景技術】
【０００２】
従来から、建築物の開口部に設置される建具として、開口部に枠体が取り付けられ、枠体内に障子及び網戸が納められたものが広く知られている。このような網戸として、枠体内に設けられた網戸框体と、プリーツ状に形成された網体と、を有したプリーツ網戸が提案されている（例えば、特許文献１参照）。網体では、左右方向の一端部が網戸框体の固定縦框に取り付けられ、他端部が枠体内を左右方向に移動可能に設けられた網戸框体の可動縦框に取り付けられている。
【先行技術文献】
【特許文献】
【０００３】
【特許文献１】特許第３９６５３７８号公報
【発明の概要】
【発明が解決しようとする課題】
【０００４】
ところで、網体の下端部を案内する網戸下框は、左右方向にスムーズに移動できるように下面が平滑面とされていることが一般的である。引違いサッシの一方の障子側にプリーツ網戸を設置する場合があるが、枠体の下枠に、上方に突出するレール部が形成されているため、網戸下框を常設することができないという問題点がある。
【０００５】
そこで、本発明は、上記事情に鑑みてなされたものであり、網体の下端部を案内する網戸下框が枠体に適切に設けられるとともに、障子及び網戸を引違いサッシの枠体内に開閉可能に設けられた建具を提供する。
【課題を解決するための手段】
【０００６】
上記目的を達成するために、本発明は以下の手段を採用している。
すなわち、本発明に係る建具は、建築物の開口部に設けられる枠体と、該枠体内に左右方向にスライド可能に設けられた障子と、前記枠体内に開閉可能に設けられた網戸と、を備え、前記枠体は、左右方向に延びる上枠及び下枠と、上下方向に延びる一対の縦枠と、を有し、前記障子は、左右方向に延びる上框及び下框と、上下方向に延びる一対の縦框と、前記上框、前記下框及び前記一対の縦框内に設けられたパネル体と、を有し、前記網戸は、前記縦枠に固定された網戸固定縦框と、前記枠体内を左右方向に移動可能とされた網戸可動縦框と、前記網戸固定縦框と前記網戸可動縦框との間に設けられ、収容及び繰り出し可能とされた網体と、前記網戸固定縦框または前記網戸可動縦框から出没可能に設けられ、前記網体の下端部を案内可能な網戸下框と、を有し、前記下枠には、上方に向かって突出し、前記下框及び前記網戸下框を支持する突出部が設けられ、前記網戸下框には、前記突出部の屋内側の面及び屋外側の面に対向する面を有する規制部が設けられていることを特徴とする。
【０００７】
このように構成された建具では、建築物の開口部に設けられる枠体の下枠には、上方に向かって突出し、枠体内を左右方向にスライド可能な障子の下框及び網戸の網戸下框を支持する突出部が設けられている。よって、障子及び網戸を引違いサッシの枠体内に開閉可能に設けることができる。
また、網戸下框には下枠の突出部の屋内側の面及び屋外側の面に対向する面を有する規制部が設けられているため、網戸下框の屋内外方向の移動が規制される。よって、網体の下端部を案内する網戸下框を、枠体に適切に設けることができる。
【０００８】
また、本発明に係る建具では、前記規制部は、屋内外方向に間隔を有して配置された一対の規制壁部を有し、該一対の規制壁部の間に、前記突出部が配置可能とされていることが好ましい。
【０００９】
このように構成された建具では、一対の規制壁部で突出部を屋内外方向から挟み込むように網戸下框を設置すれば、網戸下框の屋内外方向の移動が規制される。よって、網戸下框を枠体に容易に設置することができる。
【００１０】
また、本発明に係る建具では、前記下枠は、前記網戸下框における屋外側を向く面に対向する下部屋外側壁部と、前記網戸下框における屋内側を向く面に対向する下部屋内側壁部と、を有していてもよい。
【００１１】
このように構成された建具では、網戸下框が下部屋外側壁部に当接することで、網戸下框が下枠からはみ出して、屋外側へ移動することが規制される。また、網戸下框が下部屋内側壁部に当接することで、網戸下框が下枠からはみ出して、屋内側へ移動することが規制される。
【００１２】
また、本発明に係る建具では、前記上枠は、前記上框の屋内側に配置される上部屋内側壁部を有し、該上部屋内側壁部には、屋外側に向かって突出し、前記上框における屋内側を向く面と当接可能な気密部が設けられていてもよい。
【００１３】
このように構成された建具では、上枠の上部屋内側壁部には、屋外側に向かって突出する気密部が設けられている。気密部が上框における屋内側を向く面と当接して、障子の気密性が確保することができる。
【００１４】
また、本発明に係る建具は、前記網戸は、前記網体の上端部を案内可能な網戸上框を有し、前記上部屋内側壁部には、屋外側に向かって突出する突出部材が設けられ、該突出部材には、前記網戸上框を支持する支持部、及び前記気密部が設けられていてもよい。
【００１５】
このように構成された建具では、突出部材には、網戸上框を支持する支持部及び気密部が設けられている。上部屋内側壁部に突出部材を設けることで、網戸上框の支持及び障子の気密性を確保することができる。よって、支持部及び気密部を上枠に別々に設けるよりも、施工性が良い。
【００１６】
また、本発明に係る建具は、前記障子よりも屋内側に配置された内障子、を有し、前記障子及び前記網戸は、前記下枠の前記突出部上を走行し、前記内障子は、前記下枠の突出部よりも屋内側に設けられた屋内側レール部上を走行してもよい。
【００１７】
このように構成された建具では、障子及び網戸が下枠の突出部上を走行し、内障子が屋内側レール部上を走行する。よって、障子及び網戸の屋内側に内障子が配置された形態をとることができる。
【発明の効果】
【００１８】
本発明に係る建具によれば、網体の下端部を案内する網戸下框が枠体に適切に設けられるとともに、障子及び網戸を引違いサッシの枠体内に開閉可能に設けることができる。
【図面の簡単な説明】
【００１９】
【図１】本発明の一実施形態に係る建具を屋外側から見た正面図である。
【図２】図１のＡ−Ａ線断面図である。
【図３】図２のＢ−Ｂ線断面図である。
【図４】本発明の一実施形態に係る建具で、網戸が閉じた（収容された）状態における図２に相当する断面図である。
【図５】図２のＣ−Ｃ線断面図である。
【図６】図５のＤ部拡大図である。
【図７】図５のＥ部拡大図である。
【図８】本発明の一実施形態に係る建具の網戸下框を上方から見た斜視図（網戸上框を下方から見た斜視図）である。
【図９】本発明の一実施形態に係る建具の網戸下框を下方から見た斜視図（網戸上框を上方から見た斜視図）である。
【図１０】本発明の一実施形態の変形例に係る建具の下部の断面図であり、図６に相当する図である。
【発明を実施するための形態】
【００２０】
以下、本発明の一実施形態に係る網戸付きサッシ（建具）について、図１から図９に基づいて説明する。
図１は、本発明の一実施形態に係る網戸付きサッシを屋外側から見た正面図である。
図１に示すように、網戸付きサッシ１００は、建築物の開口部Ｗに設けられ、四角形枠状に形成された枠体１と、枠体１に対して左右方向にスライド可能に設けられた外障子（障子）２Ａ及び内障子２Ｂと、枠体１内に開閉可能に設けられた網戸３と、を備えている。枠体１内において、外障子２Ａ及び網戸３は屋外側に設置され、内障子２Ｂは屋内側に設置されている。
なお、以下の説明において、屋外側と屋内側とを結ぶ方向を屋内外方向と称する。また、屋内外方向と直交する方向のうち水平方向に沿う方向を左右方向と称する。
【００２１】
図２は、図１のＡ−Ａ線断面図であり、網戸３が開き、外障子２Ａが閉じて、内障子２Ｂが一部開いた状態を示す。図３は、図２のＢ−Ｂ線断面図である。
図２及び図３に示すように、枠体１は、左右方向に延在する上枠１１及び下枠１２と、上枠１１の両端部と下枠１２の両端部とをそれぞれ連結し上下方向に延在する縦枠１３と、を有している。
【００２２】
図４は、網戸付きサッシ１００で、網戸３が閉じ（収容され）、外障子２Ａ及び内障子２Ｂが閉じた状態における図２に相当する断面図である。
図４に示すように、外障子２Ａ及び内障子２Ｂは、各障子２Ａ，２Ｂが閉じた状態で、枠体１内を閉塞するように配置されている。
【００２３】
図２及び図３に示すように、各障子２Ａ，２Ｂは、四方枠状に形成された框体２０と、框体２０内に納められたガラス（パネル体）２９と、を有している。
【００２４】
框体２０は、左右方向に延在する上框２１及び下框２２と、上框２１の両端部と下框２２の両端部とをそれぞれ連結し上下方向に延在する戸先框（縦框）２３及び召合せ框（縦框）２４と、を有している。本実施形態では、框体２０は、合成樹脂製の押出成形部材で構成されている。上框２１、下框２２、戸先框２３及び召合せ框２４は、同じ断面で形成されている。下框２２には、下枠１２に沿って左右方向に走行可能な戸車２６（図３参照。以下同じ。）が設けられている。
【００２５】
図５は、図２のＣ−Ｃ線断面図である。
図２及び図５に示すように、網戸３は、網戸框体３０と、網戸框体３０内に納められた網体３９と、を有している。
【００２６】
網戸框体３０は、上下方向に延在し、一方の縦枠１３に固定された網戸固定縦框３１と、上下方向に延在し左右方向に移動可能とされた網戸可動縦框３２と、網戸可動縦框３２から出没可能に設けられた網戸上框３３及び網戸下框３４と、を有している。
【００２７】
網戸上框３３は、網戸可動縦框３２の上端部から出没可能に設けられ、突出した状態で、上枠１１の下部に沿って配置されている。網戸下框３４は、網戸可動縦框３２の下端部から出没可能に設けられ、突出した状態で、下枠１２の上部に沿って配置されている。
【００２８】
網体３９は、プリーツ状に折り曲げられ、収容及び繰り出し可能とされている。網体３９は、左右方向の一端部が網戸固定縦框３１に固定され、他端部が網戸可動縦框３２に固定されている。網戸上框３３及び網戸下框３４は、それぞれ網体３９の上端部及び下端部を案内可能としている。
【００２９】
次に、各部の構成について詳細に説明する。
まず、下枠１２の構成について説明する。
図６は、図５のＤ部拡大図である。
図６に示すように、下枠１２は、下枠本体２００と、下枠アタッチメント２１０と、を有している。下枠アタッチメント２１０は、下枠本体２００の屋外側且つ上方に組み付けられている。
【００３０】
下枠本体２００は、屋内側下枠板部２０１と、屋内側上向き壁部２０２と、屋内側レール部２０３と、を有している。
【００３１】
屋内側下枠板部２０１は、平板状に形成され、板厚方向を上下方向に向けて配置されている。
【００３２】
屋内側上向き壁部２０２は、屋内側レール部２０３よりも屋内側に配置されている。屋内側上向き壁部２０２及び屋内側レール部２０３は、屋内側下枠板部２０１から上方に延びている。屋内側上向き壁部２０２及び屋内側レール部２０３は、平板状に形成され、板厚方向を屋内外方向に向けて配置されている。
【００３３】
屋内側レール部２０３は、内障子２Ｂの下框２２を支持している。詳細には、内障子２Ｂの下框２２に設けられた戸車２６が、屋内側レール部２０３上を走行可能とされている。
【００３４】
下枠アタッチメント２１０は、屋外側下枠板部２１１と、中間上向き壁部（下部屋内側壁部）２１２と、屋外側レール部（突出部）２１３と、屋外側上向き壁部（下部屋外側壁部）２１４と、を有している。
【００３５】
屋外側下枠板部２１１は、平板状に形成され、板厚方向を上下方向に向けて配置されている。
【００３６】
中間上向き壁部２１２、屋外側レール部２１３及び屋外側上向き壁部２１４は、屋外側下枠板部２１１から上方に延びている。中間上向き壁部２１２、屋外側レール部２１３及び屋外側上向き壁部２１４は、この順で屋内側から屋外側に向かって配置されている。中間上向き壁部２１２、屋外側レール部２１３及び屋外側上向き壁部２１４は、平板状に形成され、板厚方向を屋内外方向に向けて配置されている。
【００３７】
図３に示すように、屋外側レール部２１３は、外障子２Ａの下框２２を支持している。詳細には、外障子２Ａの下框２２に設けられた戸車２６が、屋外側レール部２１３上を走行可能とされている。また、図６に示すように、屋外側レール部２１３は、詳細については後述するが、網戸３の網戸下框３４を支持可能である。屋外側レール部２１３は、屋内側レール部２０３と、略同一高さに設置されている。
【００３８】
屋外側上向き壁部２１４、屋外側下枠板部２１１及び中間上向き壁部２１２により、下方に凹む下部屋外側凹溝Ｇ１が形成されている。下部屋外側凹溝Ｇ１内には、外障子２Ａの下框２２（図３参照。以下同じ。）及び網戸下框３４が配置されている。
【００３９】
外障子２Ａ及び網戸３が下部屋外側凹溝Ｇ１内で屋内側に変位（傾斜）すると、外障子２Ａの下框２２及び網戸下框３４が、中間上向き壁部２１２における屋外側を向く面に当接する。外障子２Ａ及び網戸３が下部屋外側凹溝Ｇ１内で屋外側に変位（傾斜）すると、外障子２Ａの下框２２及び網戸下框３４が、屋外側上向き壁部２１４における屋内側を向く面に当接する。
【００４０】
中間上向き壁部２１２、屋内側下枠板部２０１及び屋内側上向き壁部２０２により、下方に凹む下部屋内側凹溝Ｇ２が形成されている。下部屋内側凹溝Ｇ２内には、内障子２Ｂの下框２２が配置されている。
【００４１】
中間上向き壁部２１２には、屋外側に向かって突出する気密材２２０が設けられている。気密材２２０は、下枠１２の延在方向（左右方向）にわたって設けられている。
【００４２】
気密材２２０は、中間上向き壁部２１２における屋外側を向く面に設けられた取付溝２１６内に取り付けられた下部取付部２２１と、下部取付部２２１から上方に延びる上向き部２２２と、上向き部２２２の上端部から下方に延びるとともに屋外側に向かって膨らむように形成された下部気密部２２３と、を有している。下部取付部２２１、上向き部２２２及び下部気密部２２３は、一体として形成されている。本実施形態では、気密材２２０は、合成樹脂等により形成されている。下部気密部２２３は、網戸下框３４及び外障子２Ａの下框２２における屋内側を向く面に当接している。
【００４３】
屋内側上向き壁部２０２にも、屋外側に向かって突出する気密材２２０が設けられている。気密材２２０の下部気密部２２３は、内障子２Ｂの下框２２における屋内側を向く面に当接している。
【００４４】
次に、上枠１１の構成について説明する。
図７は、図５のＥ部拡大図である。
図７に示すように、上枠１１は、第一上枠板部２３１及び第二上枠板部２３２と、第一上枠板部２３１の屋外側の端部から下方に延びる屋外側下向き壁部２３３と、第二上枠板部２３２の屋内外方向の中間から下方に延びる中間下向き壁部（上部屋内側壁部）２３４と、第一上枠板部２３１の屋内側の端部から下方に延びる屋内側下向き壁部２３５と、を有している。
【００４５】
第一上枠板部２３１は、第二上枠板部２３２よりも上方に配置されている。第一上枠板部２３１及び第二上枠板部２３２は、平板状に形成され、板厚方向を上下方向に向けて配置されている。
【００４６】
屋外側下向き壁部２３３、中間下向き壁部２３４及び屋内側下向き壁部２３５は、平板状に形成され、板厚方向を屋内外方向に向けて配置されている。屋外側下向き壁部２３３及び屋内側下向き壁部２３５は、第二上枠板部２３２に接続されている。
【００４７】
屋外側下向き壁部２３３、第二上枠板部２３２及び中間下向き壁部２３４により、上方に凹む上部屋外側凹溝Ｇ３が形成されている。上部屋外側凹溝Ｇ３内には、外障子２Ａの上框２１（図３参照。以下同じ。）及び網戸上框３３が配置されている。
【００４８】
外障子２Ａ及び網戸３が上部屋外側凹溝Ｇ３内で屋内側に変位（傾斜）すると、外障子２Ａの上框２１及び網戸上框３３が、中間下向き壁部２３４における屋外側を向く面に当接する。外障子２Ａ及び網戸３が上部屋外側凹溝Ｇ３内で屋外側に変位（傾斜）すると、外障子２Ａの上框２１及び網戸上框３３が、屋外側下向き壁部２３３における屋内側を向く面に当接する。
【００４９】
中間下向き壁部２３４、第二上枠板部２３２及び屋内側下向き壁部２３５により、上方に凹む上部屋内側凹溝Ｇ４が形成されている。上部屋内側凹溝Ｇ４内には、内障子２Ｂの上框２１が配置されている。
【００５０】
中間下向き壁部２３４には、屋外側に向かって突出する突出部材２４０が設けられている。突出部材２４０は、上枠１１の延在方向（左右方向）にわたって設けられている。
【００５１】
突出部材２４０は、中間下向き壁部２３４における屋外側を向く面に設けられた取付溝２３６内に取り付けられた上部取付部２４１と、上部取付部２４１から下方に延びる下向き部２４２と、下向き部２４２の下端部から上方に延びるとともに屋外側に向かって膨らむように形成された上部気密部（気密部）２４３と、下向き部２４２の下端部から屋外側に延びる上框支持部（支持部）２４４と、を有している。上部取付部２４１、下向き部２４２、上部気密部２４３及び上框支持部２４４は、一体として形成されている。本実施形態では、突出部材２４０は、合成樹脂等により形成されている。突出部材２４０の上部気密部２４３は、網戸上框３３及び外障子２Ａの上框２１における屋内側を向く面に当接している。
【００５２】
上框支持部２４４の先端部（屋外側の端部）には、上向き片２４５が設けられている。上向き片２４５は、屋外側に向かうにしたがって次第に上方を向くように傾斜している。
【００５３】
上框支持部２４４の上向き片２４５が、網戸上框３３の下部に当接していて、網戸上框３３を支持可能である。これにより、網戸上框３３の垂れ下がりが抑制されている。なお、上向き片２４５は、網戸上框３３よりもわずかに下方に配置されていてもよい。
【００５４】
中間下向き壁部２３４の下端部に配置される突出部材２４０の上框支持部２４４は、左右方向における閉鎖時に内障子２Ｂが配置される側のみ（図４に示す紙面左側）に設けられている。左右方向における閉鎖時に外障子２Ａが配置される側（図４に示す紙面右側）には、突出部材２４０の上框支持部２４４が切断された状態で設けられている。すなわち、中間下向き壁部２３４の下端部に配置される突出部材２４０の上框支持部２４４は、外障子２Ａの全閉状態において、内障子２Ｂよりも屋外側、且つ外障子２Ａの召合せ框２４（図４参照。以下同じ。）と内障子２Ｂの戸先框２３側の縦枠１３（図４に縦枠１３Ａとして示す）との間にのみ設けられている。また、上框支持部２４４は上方に変位しやすい形状であるため、外障子２Ａの開閉時に召合せ框２４が接触した際には、中間下向き壁部２３４の下端部に配置される突出部材２４０の上框支持部２４４は、上方に変位して外障子２Ａの開閉に影響がない。
なお、突出部材２４０の上部気密部２４３は、外障子２Ａの左右方向の略全長にわたって設けられている。
【００５５】
屋内側下向き壁部２３５には、屋外側に向かって突出する気密材２２０が設けられている。気密材２２０は、上枠１１の延在方向（左右方向）にわたって設けられている。気密材２２０は、下枠１２に設けられた気密材２２０（図６参照。以下同じ。）を上下反転させた状態で設けられている。気密材２２０の下部気密部２２３は、内障子２Ｂの上框２１における屋内側を向く面に当接している。
【００５６】
次に、網戸下框３４の構成について説明する。
図８は、網戸下框３４を上方から見た斜視図（網戸上框３３を下方から見た斜視図）である。図９は、網戸下框３４を下方から見た斜視図（網戸上框３３を上方から見た斜視図）である。
図８及び図９に示すように、網戸下框３４は、複数の進退ユニット３００が連結されて構成されている。各進退ユニット３００は、屋内外方向に対向配置された一対の側壁部３０１と、側壁部３０１を連結する連結壁部３１１と、を有している。なお、進退ユニット３００の説明において、対向する側壁部３０１に近接する側を内側と称し、対向する側壁部３０１から離間する側を外側と称することがある。
【００５７】
側壁部３０１は、一端部（隣接する一方の進退ユニット３００側）に形成された内側壁部３０２と、他端部（隣接する他方の進退ユニット３００側）に形成された外側壁部３０３と、内側壁部３０２と外側壁部３０３とを連結する段部３０９と、を有している。内側壁部３０２は、外側壁部３０３よりも内側に配置されている。
【００５８】
内側壁部３０２には、外側に向かって突出する回動軸部３０４及び規制軸部３０５が設けられている。外側壁部３０３には、屋内外方向に貫通する回動孔３０６及び規制孔３０７が形成されている。回動孔３０６は、回動軸部３０４と対応した形状をなしている。規制孔３０７は、回動孔３０６の外周側に周方向に延びるように形成されている。
【００５９】
一方の進退ユニット３００の外側壁部３０３の内側には、他方の進退ユニット３００の内側壁部３０２が配置されている。一方の進退ユニット３００の外側壁部３０３の端部（他方の進退ユニット３００側の端部）は、他方の進退ユニット３００の段部３０９に当接している。
【００６０】
他方の進退ユニット３００の回動軸部３０４及び規制軸部３０５は、それぞれ一方の進退ユニット３００の回動孔３０６及び規制孔３０７に挿通されている。一方の進退ユニット３００は、他方の進退ユニット３００に対して、回動軸部３０４を中心に周方向に回動可能とされている。他方の進退ユニット３００の規制軸部３０５が一方の進退ユニット３００の規制孔３０７の周方向の端部に当接することで、周方向の回動が規制される。
【００６１】
図９に示すように、連結壁部３１１の下面には、下方に向かって突出する一対の規制壁部（規制部）３１２が設けられている。一対の規制壁部３１２は、屋内側方向に離間して配置されている。各規制壁部３１２は、板状に形成され、板厚方向を屋内側方向に向けて配置されている。
【００６２】
図６に示すように、網戸下框３４の連結壁部３１１の下面は、下枠１２の屋外側レール部２１３の上端部に当接支持されている。屋外側レール部２１３の屋内側に進退ユニット３００の一方の規制壁部３１２Ａが配置され、屋外側レール部２１３の屋外側に進退ユニット３００の他方の規制壁部３１２Ｂが配置されている。網戸３が下部屋外側凹溝Ｇ１内で屋内側に変位（傾斜）すると、網戸下框３４の規制壁部３１２Ｂが、屋外側レール部２１３における屋外側を向く面に当接する。網戸３が下部屋外側凹溝Ｇ１内で屋外側に変位（傾斜）すると、網戸下框３４の規制壁部３１２Ａが、屋外側レール部２１３における屋内側を向く面に当接する。このようにして、網戸３の屋内外方向の移動が規制されている。また、網戸下框３４の屋内側に配置された外側壁部３０３は、下枠１２に設けられた気密材２２０に当接されている。
【００６３】
次に、網戸上框３３の構成について説明する。
図７に示すように、網戸上框３３は、図６に示す網戸下框３４を上下反転させて構成されていて、同一の部材には同一の符号を付して説明を省略する。
【００６４】
網戸上框３３の屋内側に配置された側壁部３０１の僅かに下方に、上枠１１に設けられた突出部材２４０の上框支持部２４４が配置されている。側壁部３０１は、突出部材２４０の上框支持部２４４に支持可能とされている。
【００６５】
図１に示すように、網戸下框３４を構成する複数連結された進退ユニット３００は、一端部が網戸固定縦框３１に取り付けられ、他端部が網戸可動縦框３２に進退可能に設けられている。また、網戸上框３３を構成する複数連結された進退ユニット３００は、一端部が網戸固定縦框３１に取り付けられ、他端部が網戸可動縦框３２に進退可能に設けられている。
【００６６】
これにより、網戸可動縦框３２が左右方向のうち網戸固定縦框３１から離間する側へ移動した際には、網戸下框３４の進退ユニット３００の他端部が網戸可動縦框３２内を下方に移動して、他端部側の進退ユニット３００が下枠１２の上部に沿って進出する。また、網戸上框３３の進退ユニット３００の他端部が網戸可動縦框３２内を上方に移動して、他端部側の進退ユニット３００が上枠１１の下部に沿って進出する。この際に、網体３９の上下端部は進出する進退ユニット３００に案内されるとともに、プリーツ状に折り曲げられた網体３９は広がって開いていく（図２参照）。
【００６７】
一方、網戸可動縦框３２が左右方向のうち網戸固定縦框３１に近接する側へ移動した際には、網戸下框３４の進退ユニット３００の他端部が網戸可動縦框３２内を上方に移動して、下枠１２の上部に沿って配置された進退ユニット３００が網戸可動縦框３２内に収容されていく。また、網戸上框３３の進退ユニット３００の他端部が網戸可動縦框３２内を下方に移動して、上枠１１の下部に沿って配置された進退ユニット３００が網戸可動縦框３２内に収容されていく。この際に、広げられた網体３９はプリーツ状に折り曲げられて収容されていく（図４参照）。
【００６８】
このように構成された網戸付きサッシ１００では、下枠１２には、上方に向かって突出する屋外側レール部２１３が設けられている。屋外側レール部２１３は、左右方向にスライド可能な外障子３Ａの下框２２及び網戸３の網戸下框３４を支持している。よって、外障子３Ａ及び網戸３を引き違いサッシの枠体１内に開閉可能に設けることができる。
【００６９】
また、網戸下框３４には下枠１２の屋外側レール部２１３の屋内側の面及び屋外側の面に当接可能な規制壁部３１２が設けられているため、網戸下框３４の屋内外方向の移動が規制される。よって、網体３９の下端部を案内する網戸下框３４を、枠体１に適切に設けることができる。
【００７０】
また、一対の規制壁部３１２で屋外側レール部２１３を屋内外方向から挟み込むように網戸下框３４を設置すれば、網戸下框３４の屋内外方向の移動が規制される。よって、網戸下框３４を枠体１に容易に設置することができる。
【００７１】
また、網戸下框３４が下枠１２の屋外側上向き壁部２１４に当接することで、網戸下框３４が下枠１２からはみ出して、屋外側へ移動することが規制される。また、網戸下框３４が下枠１２の屋内側上向き壁部２０２に当接することで、網戸下框３４が下枠１２からはみ出して、屋内側へ移動することが規制される。
【００７２】
また、上枠１１の中間下向き壁部２３４には、屋外側に向かって突出する突出部材２４０が設けられている。突出部材２４０の上部気密部２４３が外障子２０Ａの屋内側の面と当接して、外障子２０Ａの気密性が確保することができる。
【００７３】
また、突出部材２４０には、網戸上框３３を支持する上框支持部２４４及び上部気密部２４３が設けられている。中間下向き壁部２３４に突出部材２４０を設けることで、網戸上框３３の支持及び外障子２Ａの気密性を確保することができる。よって、支持部及び気密部を上枠１１に別々に設けるよりも、施工性が良い。
【００７４】
また、外障子２Ａ及び網戸３が下枠１２の屋外側レール部２１３上を走行し、内障子２Ｂが屋内側レール部２０３上を走行する。よって、外障子２Ａ及び網戸３の屋内側に内障子２Ｂが配置された形態をとることができる。
【００７５】
（変形例）
次に、上記に示す実施形態の変形例について説明する。
なお、以下の説明において、前述した部材と同一の部材には同一の符号を付して、その説明を省略する。
図１０は、本発明の一実施形態の変形例に係る建具の下部の断面図であり、図６に相当する図である。
図１０に示すように、本変形例に係るサッシ１００Ｘの下枠１２Ｘでは、下枠本体２００が設けられ、下枠アタッチメント２１０が取り外されている。本変形例では、外障子２Ａ（図３参照。以下同じ。）及び網戸３を支持する屋外側レール部２１３Ｘが、内障子２Ｂを支持する屋内側レール部２０３よりも、低い高さ位置に設置されている。
【００７６】
下枠１２Ｘは、下段板部２１５を有している。下段板部２１５は、平板状に形成され、板厚方向を上下方向に向けて配置されている。下段板部２１５は、屋内側下枠板部２０１よりも下方に配置されている。
【００７７】
下段板部２１５には、上方に延びる屋外側レール部２１３Ｘが設けられている。屋外側レール部２１３Ｘは、平板状に形成され、板厚方向を屋内外方向に向けて配置されている。屋外側レール部２１３Ｘは、外障子２Ａの下框２２を支持している。屋外側レール部２１３Ｘは、網戸可動縦框３２（図４参照。以下同じ。）から突出する網戸３の網戸下框３４を支持している。
【００７８】
屋内側下枠板部２０１の屋外側の端部には、取付溝２１６Ｘが設けられている。取付溝２１６Ｘ内には、気密材２２０が設けられている。
【００７９】
気密材２２０の下部気密部２２３は、網戸下框３４及び外障子２Ａの下框２２（図３参照。以下同じ。）における屋内側を向く面に当接している。
【００８０】
このように構成された網戸付きサッシ１００Ｘでは、下枠１２Ｘには、上方に向かって突出する屋外側レール部２１３Ｘが設けられている。屋外側レール部２１３Ｘは、左右方向にスライド可能な外障子３Ａの下框２２及び網戸３の網戸下框３４を支持している。よって、外障子３Ａ及び網戸３を引き違いサッシの枠体１内に開閉可能に設けることができる。
【００８１】
なお、上述した実施の形態において示した各構成部材の諸形状や組み合わせ等は一例であって、本発明の主旨から逸脱しない範囲において設計要求等に基づき種々変更可能である。
【００８２】
例えば、上記に示す実施形態では、下枠１２に突出部材２４０が設けられているが、設けられていなくてもよい。また、突出部材２４０は、上部気密部２４３及び上框支持部２４４が一体として形成されているが、別々に形成されていてもよい。
【００８３】
また、上記に示す実施形態では、網戸下框３４は、網戸可動縦框３２から出没可能に設けられているが、本発明はこれに限られず、網戸固定縦框から出没可能とされていてもよい。
【００８４】
また、上記に示す実施形態では、網戸付きサッシ１００は、外障子２Ａ及び内障子２Ｂを備えているが、本発明はこれに限られず、障子が下枠の突出部に支持されている建具、例えば片引き戸等に適用できる。
【符号の説明】
【００８５】
１…枠体
２Ａ…外障子（障子）
２Ｂ…内障子
３…網戸
１１…上枠
１２…下枠
１３…縦枠
２０…框体
２１…上框
２２…下框
２３…戸先框（縦框）
２４…召合せ框（縦框）
２６…戸車
２９…ガラス（パネル体）
３０…網戸框体
３１…網戸固定縦框
３２…網戸可動縦框
３３…網戸上框
３４…網戸下框
３９…網体
１００…網戸付きサッシ（建具）
２００…下枠本体
２０３…屋内側レール部
２１０…下枠アタッチメント
２１２…中間上向き壁部（下部屋内側壁部）
２１３…屋外側レール部（突出部）
２１４…屋外側上向き壁部（下部屋外側壁部）
２２０…気密材
２２３…下部気密部
２３３…屋外側下向き壁部
２３４…中間下向き壁部（上部屋内側壁部）
２３５…屋内側下向き壁部
２４０…突出部材
２４３…上部気密部（気密部）
２４４…上框支持部（支持部）
２４５…上向き片
３００…進退ユニット
３０１…側壁部
３０４…回動軸部
３０５…規制軸部
３０６…回動孔
３０７…規制孔
３１１…連結壁部
３１２…規制壁部（規制部）
Ｗ…開口部
【図１】
2019119987.tif 000003
【図２】
2019119987.tif 000004
【図３】
2019119987.tif 000005
【図４】
2019119987.tif 000006
【図５】
2019119987.tif 000007
【図６】
2019119987.tif 000008
【図７】
2019119987.tif 000009
【図８】
2019119987.tif 000010
【図９】
2019119987.tif 000011
【図１０】
2019119987.tif 000012